(57)【特許請求の範囲】
【請求項１】
帯電防止用靴を着用した人の片方の手が当接する一対の主電極と、
当該人の手が当接した状態でこの一対の主電極間の抵抗を手と主電極との間の接触抵抗として計測する接触抵抗計測手段と、
当該人が乗る一対の対向電極と、
当該人の手が主電極に当接した状態で主電極と対向電極との間の電気抵抗を計測する電気抵抗計測手段と、
この電気抵抗計測手段で計測された電気抵抗を接触抵抗計測手段で計測された接触抵抗で補正する補正手段と、
を有することを特徴とする帯電防止用靴の電気抵抗測定装置。
【発明の詳細な説明】
【０００１】
【発明の属する技術分野】
本発明は、帯電防止用靴の電気抵抗測定装置に関する。
【０００２】
【従来の技術】
帯電防止用靴（以下、「静電靴」と呼ぶ）は、例えば可燃性ガスや水蒸気を取り扱う作業場における人体からの静電気放電による災害発生の防止、あるいは半導体集積回路等を取り扱う工場における人体からの放電による半導体素子等への悪影響の防止などを目的として多方面で用いられている。そして、この目的を達成する上で、静電靴の帯電防止性能評価が定期的に行なわれる。この評価は、静電靴の電気抵抗の大きさ、具体的には、人体から直接に放電が発生したときの放電電位を抑えるための上限抵抗値と、人に帯電した電荷が静電靴の底から放電したときの放電電位を抑えるための下限抵抗値との比較に基づいてなされる。このため、静電靴の電気抵抗を正しく測定することは、静電靴の評価を正しく行なう上で極めて重要なことである。
【０００３】
静電靴の電気抵抗の測定方法としては、図３に示す如く、静電靴１０１を対向電極１０３の上に置き、静電靴１０１の内側に主電極１０５を配置した上で両電極間の電気抵抗を絶縁抵抗計１０７で測定するのが一般的であるが、この方法では、静電靴１０１の着用状態での測定ができない。
【０００４】
図４は、静電靴１０１の着用状態で測定ができるようにした例である。この測定装置は、一対の対向電極１１１，１１３に乗った静電靴１０１の着用者１１５が片手１１６を主電極１１７に当接したときの主電極１１７とそれぞれの対向電極１１１，１１３との間の電気抵抗を静電靴１０１の電気抵抗として絶縁抵抗計１１９，１２１で測定する構成である。なお、図４において、１２３は、測定のための給電を行なう電源である。
【０００５】
【発明が解決しようとする課題】
しかしながら、図４に示した測定装置においては、電源１２３の電圧が２４ボルト以下と低電圧であることから、主電極と手との接触状態に応じて変わる接触抵抗が測定結果に影響を与えるおそれがある。この接触抵抗は、手の発汗状態、季節、当接圧力および当接面積の大小等によって異なり、数１０ｋΩ〜１００ｋΩ程度の範囲で変わるものである。これに対し、特に、下限抵抗値としては１０5 Ω程度の値であることから、下限抵抗値において影響が大きい。
【０００６】
本発明は、上記に鑑みてなされたもので、その目的としては、手の主電極への当接状態にかかわらず正確な測定値を得ることができる帯電防止用靴の電気抵抗測定装置を提供することにある。
【０００７】
【課題を解決するための手段】
上記目的を達成するため、本発明は、帯電防止用靴を着用した人の片方の手が当接する一対の主電極と、当該人の手が当接した状態でこの一対の主電極間の抵抗を手と主電極との間の接触抵抗として計測する接触抵抗計測手段と、当該人が乗る一対の対向電極と、当該人の手が主電極に当接した状態で主電極と対向電極との間の電気抵抗を計測する電気抵抗計測手段と、この電気抵抗計測手段で計測された電気抵抗を接触抵抗計測手段で計測された接触抵抗で補正する補正手段と、を有することを要旨とする。
【０００８】
本発明にあっては、分割状態にある一対の主電極を帯電防止用靴を着用した人が片手で当接したときの主電極間の抵抗を接触抵抗として計測する一方、この人の手が主電極に当接した状態で一対の対向電極の上に乗ったときの主電極と対向電極との間の電気抵抗を計測し、この電気抵抗を接触抵抗で補正することで、この人の手の主電極への当接状態による影響を排除した正確な帯電防止用靴の電気抵抗値を得ている。
【０００９】
【発明の実施の形態】
以下、図面を用いて本発明の実施の形態を説明する。
【００１０】
図１は、本発明に係る帯電防止用靴の電気抵抗測定装置を適用した静電靴評価装置１の構成を示す図である。同図において、３は主電極、５および７は対向電極である。主電極３は、例えば図２に示す如く、一対の主電極３ａ，３ｂから構成されている。主電極３は、評価対象である静電靴９を着用した人（以下、「着用者１１」と呼ぶ）の片手が当接されるものであることから、当接を容易にするため所定の凸部を持って形成されている。一方、主電極３および対向電極５，７は、測定切換回路１３に接続されている。測定切換回路１３は、例えばマルチプレクサ等で構成されるもので、着用者１１による片手の主電極３への当接状態における接触抵抗を計測するときには主電極３ａ，３ｂ、後述する測定制御回路１５、測定電圧発生部１７で閉回路ループを形成し、静電靴９の電気抵抗を計測するときには主電極３、対向電極５，７、測定制御回路１５、測定電圧発生部１７で閉回路ループを形成するものである。測定制御回路１５は、例えばマイコンで構成され静電靴評価装置１の全体動作を制御するものであり、特に、測定切換回路１３における上記閉回路ループの形成動作を制御し、測定電圧発生部１７の給電作動を制御した上で、接触抵抗および静電靴９の電気抵抗を計測し、当該電気抵抗を接触抵抗で補正し、この接触抵抗の影響を排除した静電靴の電気抵抗（以下、「補正抵抗値」と呼ぶ）を求める機能を有するものである。また、測定制御回路１５には、上限抵抗値および下限抵抗値を設定する設定部１９、並びに評価結果を表示するための表示部２１が接続されており、測定制御回路１５は、補正抵抗値を上限抵抗値および下限抵抗値と比較し、この比較結果に基づいて静電靴を評価して結果を表示させる機能を有するものである。測定電圧発生部１７は、主電極３ａから一定の測定電圧（例えば２４ボルト）を給電するものである。
【００１１】
なお、ここで、測定制御回路１５は、接触抵抗計測手段、電気抵抗計測手段および補正手段を構成するものである。
【００１２】
次に、本実施の形態の作用を説明する。
【００１３】
測定制御回路１５は、着用者１１が対向電極５，７に乗って片手を主電極３ａ，３ｂを跨ぐように当接した状態で、まず、着用者１１の手と主電極３との接触抵抗を計測するべく測定切換回路１３を制御して測定電圧発生部１７、主電極３ａ、着用者１１の手、主電極３ｂ、測定切換回路１３、測定制御回路１５の閉回路ループを形成させる。そして、測定制御回路１５は、測定電圧発生部１７からの給電を行なわせたときに計測されるこの閉回路ループの抵抗を接触抵抗として計測する。
【００１４】
次に、測定制御回路１５は、静電靴９の電気抵抗を計測するべく測定切換回路１３を制御して測定電圧発生部１７、主電極３ａ、着用者１１の手、主電極３ｂ、着用者１１、静電靴９、対向電極５または７、測定切換回路１３、測定制御回路１５の閉回路ループを形成させる。そして、測定制御回路１５は、測定電圧発生部１７からの給電を行なわせたときに計測されるこの閉回路ループの抵抗を静電靴の電気抵抗として計測する。なお、この静電靴の電気抵抗の計測は、左右の静電靴のそれぞれについて行なわれる。
【００１５】
この後、測定制御回路１５は、計測した静電靴の電気抵抗を先に計測した接触抵抗で補正してこの接触抵抗の影響を排除した補正抵抗値を求める。ここでの補正の方法としては、例えば次式による。
【００１６】
【数１】
0003667824.tif 000002
この式において、Ｒx は補正抵抗値、Ｒs は計測した静電靴の電気抵抗、Ｒo は計測した接触抵抗である。
【００１７】
この後、測定制御回路１５は、この補正抵抗値を予め設定部１９で設定されている上限抵抗値および下限抵抗値と比較することで静電靴９の帯電防止性能評価を行ない、その結果を表示部２１で表示させる。
【００１８】
なお、上述した実施の形態においては、接触抵抗を先に計測したが、静電靴の電気抵抗を先に計測してもよいことは言うまでもない。
【００１９】
したがって、本実施の形態によれば、接触抵抗の影響を排除した静電靴のみの正確な電気抵抗値を得ることができる。
【００２０】
【発明の効果】
以上、説明したように、本発明によれば、分割状態にある一対の主電極を帯電防止用靴を着用した人が片手で当接したときの主電極間の抵抗を接触抵抗として計測する一方、この人の手が主電極に当接した状態で一対の対向電極の上に乗ったときの主電極と対向電極との間の電気抵抗を計測し、この電気抵抗を接触抵抗で補正するようにしたので、この人の手の主電極への当接状態による影響を排除した正確な帯電防止用靴の電気抵抗値を得ることができ、もって帯電防止用靴の帯電防止性能の的確な評価に寄与することができる。
【図面の簡単な説明】
【図１】本実施の形態の構成を示す図である。
【図２】当該実施の形態の一部構成を示す図である。
【図３】従来の構成を示す図である。
【図４】他の従来の構成を示す図である。
【符号の説明】
１  静電靴評価装置
３  主電極
５，７  対向電極
９  静電靴
１１  着用者
１３  測定切換回路
１５  測定制御回路
１７  測定電圧発生部
１９  設定部
２１  表示部
【図１】
0003667824.tif 000003
【図２】
0003667824.tif 000004
【図３】
0003667824.tif 000005
【図４】
0003667824.tif 000006